(57)【要約】  測色計で得られるデータの信頼性と該測色計のデータの編集に係る操作性とを両立させることを目的とする。該目的を達成するために、測色部の測色処理で得られる同一の測色データが、制御部によって第１および第２記憶部にそれぞれ記憶される。制御部によるミラーリング処理によって、第１記憶部に記憶され且つ第２記憶部に記憶されていない第１データが第２記憶部に記憶され、第１記憶部に記憶されておらず且つ第２記憶部に記憶されている第２データが第１記憶部に記憶される。外部機器の通信部からのマスストレージ制御のデータ通信による第１記憶部に記憶されたデータの削除の要求に対して、該データが第１記憶部から削除されず且つ該データが第１記憶部に記憶されている状態が維持される。外部機器の通信部からのシリアルコミュニケーション制御のデータ通信による第１記憶部に記憶されたデータの削除の要求に対して、該データが第１記憶部から削除される。
2017038839.tif 000002
【特許請求の範囲】
【請求項１】
(a)対象物についての測色処理を行う測色部と、
(b)前記測色部による測色結果に係るデータを記憶する第１記憶部と、
(c)前記測色部による測色結果に係るデータを記憶する第２記憶部と、
(d)前記測色部によって測色処理が行われる際に、前記測色部による測色処理で得られる前記対象物の色を示す同一の測色データを、前記第１記憶部および前記第２記憶部にそれぞれ記憶させる制御部と、
(e)外部機器との間でデータ通信を行う通信部と、
を備えており、
前記制御部が、
前記第１記憶部に記憶されており且つ前記第２記憶部に記憶されていない第１データの存在に応じて、該第１データを前記第２記憶部に記憶させ、前記第１記憶部に記憶されておらず且つ前記第２記憶部に記憶されている第２データの存在に応じて、該第２データを前記第１記憶部に記憶させるミラーリング処理を実施させ、
前記通信部が、
前記外部機器との間においてマスストレージ制御による第１方式のデータ通信とシリアルコミュニケーション制御による第２方式のデータ通信とをそれぞれ実現させ、
前記外部機器からの、前記第１方式のデータ通信による前記第１記憶部に記憶されているデータの削除の要求に対して、該データが前記第１記憶部から削除されず且つ該データが前記第１記憶部に記憶されている状態が維持され、
前記外部機器からの、前記第２方式のデータ通信による前記第１記憶部に記憶されているデータの削除の要求に対して、該データが前記第１記憶部から削除される測色計。
【請求項２】
請求項１に記載の測色計であって、
前記外部機器からの、前記第１方式のデータ通信による前記第１記憶部へのデータの書き込みの要求に対して、該データが前記第１記憶部へ書き込まれず、
前記外部機器からの、前記第２方式のデータ通信による前記第１記憶部へのデータの書き込みの要求に対して、該データが前記第１記憶部へ書き込まれる測色計。
【請求項３】
請求項１または請求項２に記載の測色計であって、
前記第１記憶部に記憶されているデータの存在を示す情報を可視的に出力する表示部と、
ユーザーの動作に応じた信号を入力する入力部と、
をさらに備え、
前記入力部で入力される信号に応じた、前記第１記憶部に記憶されているデータの削除の要求に対して、該データが前記第１記憶部から削除されず且つ該データが前記第１記憶部に記憶されている状態が維持される測色計。
【請求項４】
(A)測色計と、
(B)該測色計に対してデータの通信が可能な態様で接続された外部機器と、を備え、
前記測色計が、
(A1)対象物についての測色処理を行う測色部と、
(A2)前記測色部による測色結果に係るデータを記憶する第１記憶部と、
(A3)前記測色部による測色結果に係るデータを記憶する第２記憶部と、
(A4)前記測色部による測色処理が行われる際に、前記測色部による測色処理で得られる前記対象物の色を示す同一の測色データを、前記第１記憶部および前記第２記憶部にそれぞれ記憶させるとともに、前記第１記憶部に記憶されており且つ前記第２記憶部に記憶されていない第１データの存在に応じて、該第１データを前記第２記憶部に記憶させ、前記第１記憶部に記憶されておらず且つ前記第２記憶部に記憶されている第２データの存在に応じて、該第２データを前記第１記憶部に記憶させるミラーリング処理を実行させる第１制御部と、
(A5)前記外部機器との間でマスストレージ制御による第１方式のデータ通信とシリアルコミュニケーション制御による第２方式のデータ通信とをそれぞれ行う第１通信部と、を含んでおり、
前記外部機器が、
(B1)前記測色計との間において前記第１方式のデータ通信と前記第２方式のデータ通信とをそれぞれ行う第２通信部と、
(B2)ユーザーの動作に応じた信号を入力する入力部と、
(B3)前記第１記憶部におけるデータの記憶状態を示す情報を、前記第２通信部を介した前記第１方式のデータ通信によって前記測色計から取得して、表示部において可視的に出力させる第２制御部と、を含んでおり、
ユーザーの動作に応じて前記入力部で入力される信号に応じた、前記第１および第２通信部による前記第１方式のデータ通信における前記第１記憶部に記憶されているデータの削除の要求に対して、該データが前記第１記憶部から削除されず且つ該データが前記第１記憶部に記憶されている状態が維持され、
ユーザーの動作に応じて前記入力部で入力される信号に応じた、前記第１および第２通信部による前記第２方式のデータ通信における前記第１記憶部に記憶されているデータの削除の要求に対して、該データが前記第１記憶部から削除される情報処理システム。
【請求項５】
(i)測色計に含まれている測色部によって、対象物についての測色処理を行うステップと、
(ii)前記測色計に含まれている制御部によって、前記ステップ(i)の前記測色部による測色処理が行われる際に、前記測色部による測色処理で得られる前記対象物の色を示す同一の測色データを、前記測色計に含まれている第１記憶部および第２記憶部にそれぞれ記憶させるステップと、
(iii)前記制御部によって、前記第１記憶部に記憶されており且つ前記第２記憶部に記憶されていない第１データの存在に応じて、該第１データを前記第２記憶部に記憶させ、前記第１記憶部に記憶されておらず且つ前記第２記憶部に記憶されている第２データの存在に応じて、該第２データを前記第１記憶部に記憶させるミラーリング処理を行うステップと、
(iv)前記測色計によって、該測色計がデータ通信可能な態様で接続された外部機器からの、マスストレージ制御による第１方式のデータ通信を用いた前記第１記憶部に記憶されているデータの削除の要求に対して、該データを前記第１記憶部から削除することなく且つ該データが前記第１記憶部に記憶されている状態を維持するステップと、
(v)前記測色計によって、前記外部機器からの、シリアルコミュニケーション制御による第２方式のデータ通信を用いた前記第１記憶部に記憶されているデータの削除の要求に対して、該データを前記第１記憶部から削除するステップと、
を有するデータ制御方法。
【発明の詳細な説明】
【技術分野】
【０００１】
本発明は、物体の色を測定する測色計、測色計で得られた情報を外部機器で処理する情報処理システム、および測色計と外部機器との間における通信を用いたデータ制御方法に関する。
【背景技術】
【０００２】
各種の工業製品等については、一定の品質を保つために、例えば、製品間で表面の色彩が同一に保持される。このため、製造から出荷までの何れかの段階で、測色計等によって表面の色彩が測定され、表面の色彩が管理される。【０００３】
このような測色計で得られた色彩に係るデータは、例えば、パーソナルコンピューター（以下、パソコンと略称する）等の外部機器によって読み出され得る。このとき、パソコンと測色計との間における接続は、例えば、ＵＳＢ（Universal Serial Bus）等と言った汎用インターフェースの規格によって実現される（例えば、特許文献１等）。【０００４】
また、測色計では、測色処理で得られたデータ（測色データとも言う）が種々の要因によって失われないように、測色データを保護することで、計測器としての信頼性を維持することが求められる。そこで、例えば、測色計に２つの記憶部が設けられ、最新の測色データと測色条件に係るデータ（測色条件データとも言う）とが一方の記憶部に保存され、１回前の測色データと測色条件データとが他方の記憶部に保存される技術が提案されている（例えば、特許文献２等）。当該技術によれば、仮に誤操作等によって最新の測色データおよび測色条件データが喪失しても、一方の記憶部の内容と他方の記憶部の内容とが入れ替えられることにより、誤操作前のデータの状態が復元され得る。【０００５】
そして、例えば、測色データおよび測色条件データについて、データの複製が一方の記憶領域とは異なる別の他方の記憶領域にリアルタイムに保存される所謂ミラーリング処理が採用されれば、測色計による測色処理の信頼性が向上し得る。
【先行技術文献】
【特許文献】
【０００６】
【特許文献１】特開２０１０−６０５２５号公報
【特許文献２】特開平９−６２５８７号公報
【発明の概要】
【発明が解決しようとする課題】
【０００７】
ところで、外部機器との間におけるＵＳＢを用いた通信（ＵＳＢ通信とも言う）の一般的な制御には、例えば、マスストレージ制御が含まれる。そして、携帯式の測色計では、電池の消耗を抑える観点から、プロセッサーにおける省電力を図るために、データ処理の速度が低く抑えられる。このため、測色計におけるデータ処理の速度は、パソコンにおけるデータ処理の速度よりも明らかに遅くなる。【０００８】
ここで、測色計において２つの記憶部に対してミラーリング処理が行われている状態で、ＵＳＢ通信のマスストレージ制御によって、パソコンからの要求で、記憶部に記憶されているデータに対して削除および追加等のデータの編集（データ編集とも言う）が実行される場合を想定する。この場合、パソコン側でデータの管理が行われる。具体的には、例えば、パソコンでは、測色計の記憶部に記憶されているデータのリストのコピーが取得され、当該リストが用いられて、エクスプローラ等のファイルやフォルダを管理するツールの画面（データ管理画面とも言う）上でデータ編集に係る操作が可能となる。このため、データ編集に係る操作性が良好である。【０００９】
しかしながら、測色計では、プロセッサーによるデータ処理の速度が遅く、さらにミラーリング処理によってデータの処理量が多くなるため、データ処理に多大な時間を要する。このため、例えば、パソコンのデータ管理画面上でデータ編集に係る操作が素早く行われると、測色計におけるデータ編集の状態が、パソコン側で表示されるファイルの状態に追従できない。その結果、パソコンのデータ管理画面上に表示されるデータの記憶状態と、実際の測色計の記憶部におけるデータの記憶状態との間に不整合が生じる期間が生じ易い。これにより、例えば、この期間における測色計等における種々の操作等によって、測色計の記憶部内のデータの信頼性が損なわれ得る。【００１０】
すなわち、測色計で得られるデータの信頼性と該測色計のデータの編集に係る操作性とは両立し難い。【００１１】
本発明は、上記課題に鑑みてなされたものであり、測色計で得られるデータの信頼性と該測色計のデータの編集に係る操作性とを両立し得る技術を提供することを目的とする。
【課題を解決するための手段】
【００１２】
上記課題を解決するために、一態様に係る測色計は、(a)測色部と、(b)第１記憶部と、(c)第２記憶部と、(d)制御部と、(e)通信部と、を備えている。ここで、前記測色部は、対象物についての測色処理を行う。前記第１記憶部は、前記測色部による測色結果に係るデータを記憶する。前記第２記憶部は、前記測色部による測色結果に係るデータを記憶する。前記制御部は、前記測色部によって測色処理が行われる際に、前記測色部による測色処理で得られる前記対象物の色を示す同一の測色データを、前記第１記憶部および前記第２記憶部にそれぞれ記憶させる。前記通信部は、外部機器との間でデータ通信を行う。また、前記制御部が、前記第１記憶部に記憶されており且つ前記第２記憶部に記憶されていない第１データの存在に応じて、該第１データを前記第２記憶部に記憶させ、前記第１記憶部に記憶されておらず且つ前記第２記憶部に記憶されている第２データの存在に応じて、該第２データを前記第１記憶部に記憶させるミラーリング処理を実施させる。前記通信部が、前記外部機器との間においてマスストレージ制御による第１方式のデータ通信とシリアルコミュニケーション制御による第２方式のデータ通信とをそれぞれ実現させる。そして、前記外部機器からの、前記第１方式のデータ通信による前記第１記憶部に記憶されているデータの削除の要求に対して、該データが前記第１記憶部から削除されず且つ該データが前記第１記憶部に記憶されている状態が維持される。前記外部機器からの、前記第２方式のデータ通信による前記第１記憶部に記憶されているデータの削除の要求に対して、該データが前記第１記憶部から削除される。【００１３】
他の一態様に係る情報処理システムは、(A)測色計と、(B)該測色計に対してデータの通信が可能な態様で接続された外部機器と、を備えている。ここで、前記測色計が、(A1)測色部と、(A2)第１記憶部と、(A3)第２記憶部と、(A4)第１制御部と、(A5)第１通信部と、を含んでいる。前記測色部は、対象物についての測色処理を行う。前記第１記憶部は、前記測色部による測色結果に係るデータを記憶する。前記第２記憶部は、前記測色部による測色結果に係るデータを記憶する。前記第１制御部は、前記測色部による測色処理が行われる際に、前記測色部による測色処理で得られる前記対象物の色を示す同一の測色データを、前記第１記憶部および前記第２記憶部にそれぞれ記憶させるとともに、前記第１記憶部に記憶されており且つ前記第２記憶部に記憶されていない第１データの存在に応じて、該第１データを前記第２記憶部に記憶させ、前記第１記憶部に記憶されておらず且つ前記第２記憶部に記憶されている第２データの存在に応じて、該第２データを前記第１記憶部に記憶させるミラーリング処理を実行させる。前記第１通信部は、前記外部機器との間でマスストレージ制御による第１方式のデータ通信とシリアルコミュニケーション制御による第２方式のデータ通信とをそれぞれ行う。また、ここで、前記外部機器が、(B1)第２通信部と、(B2)入力部と、(B3)第２制御部と、を含んでいる。前記第２通信部は、前記測色計との間において前記第１方式のデータ通信と前記第２方式のデータ通信とをそれぞれ行う。前記入力部は、ユーザーの動作に応じた信号を入力する。前記第２制御部は、前記第１記憶部におけるデータの記憶状態を示す情報を、前記第２通信部を介した前記第１方式のデータ通信によって前記測色計から取得して、表示部において可視的に出力させる。そして、ユーザーの動作に応じて前記入力部で入力される信号に応じた、前記第１および第２通信部による前記第１方式のデータ通信における前記第１記憶部に記憶されているデータの削除の要求に対して、該データが前記第１記憶部から削除されず且つ該データが前記第１記憶部に記憶されている状態が維持される。また、ユーザーの動作に応じて前記入力部で入力される信号に応じた、前記第１および第２通信部による前記第２方式のデータ通信における前記第１記憶部に記憶されているデータの削除の要求に対して、該データが前記第１記憶部から削除される。【００１４】
その他の一態様に係るデータ制御方法は、ステップ(i)と、ステップ(ii)と、ステップ(iii)と、ステップ(iv)と、ステップ (v)と、を有する。ここで、前記ステップ(i)において、前記測色計に含まれている測色部によって、対象物についての測色処理を行う。前記ステップ(ii)において、前記測色計に含まれている制御部によって、前記ステップ(i)の前記測色部による測色処理が行われる際に、前記測色部による測色処理で得られる前記対象物の色を示す同一の測色データを、前記測色計に含まれている第１記憶部および第２記憶部にそれぞれ記憶させる。前記ステップ(iii)において、前記制御部によって、前記第１記憶部に記憶されており且つ前記第２記憶部に記憶されていない第１データの存在に応じて、該第１データを前記第２記憶部に記憶させ、前記第１記憶部に記憶されておらず且つ前記第２記憶部に記憶されている第２データの存在に応じて、該第２データを前記第１記憶部に記憶させるミラーリング処理を行う。前記ステップ(iv)において、前記測色計によって、該測色計がデータ通信可能な態様で接続された外部機器からの、マスストレージ制御による第１方式のデータ通信を用いた前記第１記憶部に記憶されているデータの削除の要求に対して、該データを前記第１記憶部から削除することなく且つ該データが前記第１記憶部に記憶されている状態を維持する。前記ステップ(v)において、前記測色計によって、前記外部機器からの、シリアルコミュニケーション制御による第２方式のデータ通信を用いた前記第１記憶部に記憶されているデータの削除の要求に対して、該データを前記第１記憶部から削除する。
【発明の効果】
【００１５】
本発明によれば、マスストレージ制御によるデータ通信の要求があっても、第１記憶部からデータが削除されず、シリアルコミュケーション制御によるデータ通信の要求に応じて、第１記憶部からデータが削除される。これにより、測色計で得られるデータの信頼性と該測色計のデータの編集に係る操作性とが両立し得る。
【図面の簡単な説明】
【００１６】
【図１】図１は、一実施形態に係る測色システムの外観を例示する斜視図である。
【図２】図２は、一実施形態に係る測色システムの外観を例示する斜視図である。
【図３】図３は、一実施形態に係る測色システムの外観を例示する斜視図である。
【図４】図４は、情報処理システムの機能的な構成を例示するブロック図である。
【図５】図５は、パソコンの画面上での測色計内のデータの取得等を説明するための図である。
【図６】図６は、パソコンの画面上での測色計内のデータの取得等を説明するための図である。
【図７】図７は、パソコンの画面上での測色計内のデータの取得等を説明するための図である。
【図８】図８は、パソコンの画面上での測色計内のデータの取得等を説明するための図である。
【図９】図９は、パソコンの画面上での測色計内のデータの取得等を説明するための図である。
【図１０】図１０は、パソコンの画面上での測色計内のデータの取得等を説明するための図である。
【図１１】図１１は、パソコンの画面上での測色計内のデータ編集を説明するための図である。
【図１２】図１２は、情報処理システムの動作フローを示すフローチャートである。
【図１３】図１３は、情報処理システムの動作フローを示すフローチャートである。
【発明を実施するための形態】
【００１７】
以下、本発明の一実施形態ならびに各種変形例について図面を用いて説明する。図面において同様な構成および機能を有する部分については同じ符号が付されており、下記説明では重複説明が省略される。図面は模式的に示されたものであり、各図における各種構造のサイズおよび位置関係等は適宜変更され得る。図１から図３には、測色システム１の長手方向（図１の図面視上方向）を＋Ｚ方向とする右手系のＸＹＺ座標系が付されている。
【００１８】
＜(１)一実施形態＞
＜(１−１)測色システム＞
図１から図３は、一実施形態に係る測色システム１の外観を例示する斜視図である。測色システム１は、容易に携帯可能な比較的小型の測色システム（携帯式測色システムとも言う）である。測色システム１では、例えば、測色の対象である物体（測色対象物とも言う）に光が照射され、その際に該測色対象物において反射あるいは透過する光が分光された後に受光されることで、各波長について算出される反射率あるいは透過率から測色対象物の色が算出される。
【００１９】
図１で示されるように、測色システム１は、本体部である測色計２と該測色計２の先端部２Ｔｐに装着されたマスク部材３とを備えている。本実施形態では、測色計２は、携帯式の測色計である。
【００２０】
図１で示されるように、測色計２は、筐体部２ＢＤ、該筐体部２ＢＤの表面において外部に露出している出力部２１および入力部２２を有している。入力部２２には、電源ボタン２２ａ、測色ボタン２２ｂ、基準ボタン２２ｃおよび指定ボタン群２２ｄが含まれている。
【００２１】
筐体部２ＢＤは、測色システム１の略直方体の外装部分を構成しており、例えば、プラスチックス等の非磁性体の素材によって構成されている。筐体部２ＢＤは、＋Ｚ方向に向いた上面部、−Ｚ方向に向いた下面部、−Ｙ方向に向いた正面部、＋Ｙ方向に向いた背面部、＋Ｘ方向に向いた第１側面部、および−Ｘ方向に向いた第２側面部を有している。
【００２２】
図１および図２で示されるように、筐体部２ＢＤの正面部には、出力部２１ならびに基準ボタン２２ｃおよび指定ボタン群２２ｄが配されている。本実施形態では、出力部２１は、各種文字および各種画像等を可視的に出力する表示部を含む。図２および図３で示されるように、筐体部２ＢＤの第２側面部には、測色ボタン２２ｂが配され、筐体部２ＢＤの背面部には、電源ボタン２２ａ、第１蓋部２Ｄ１および第２蓋部２Ｄ２が配されている。
【００２３】
電源ボタン２２ａは、例えば、測色計２に取り付けられた電源としての電池から測色計２全体への電力の供給を開始させるためのボタンである。測色ボタン２２ｂは、例えば、１以上の評価の対象となる試料（評価対象試料とも言う）についての物体色を計測する測色処理を行う際に基準となる試料（基準試料とも言う）および評価対象試料についての測色処理を開始させるためのボタンである。測色ボタン２２ｂは、基準試料および評価対象試料についての測色処理を開始させる操作部である。基準ボタン２２ｃは、基準試料の測色処理を行うための設定を行うボタンである。指定ボタン群２２ｄは、例えば、各種モードや各種項目を指定するための１以上のボタンを含む。図１および図２では、指定ボタン群２２ｄには、例えば、上ボタン、下ボタンおよび決定ボタンの３つのボタンが含まれている。
【００２４】
第１蓋部２Ｄ１および第２蓋部２Ｄ２は、筐体部２ＢＤに開閉可能に設けられている。そして、第１蓋部２Ｄ１が開放されている状態では、筐体部２ＢＤに設けられたＵＳＢポートが外部に露出している状態となり、第２蓋部２Ｄ２が開放されている状態では、筐体部２ＢＤに取り外し可能に取り付けられている電池が外部に露出している状態となる。
【００２５】
マスク部材３は、測色部２３を覆うように測色計２の先端部２Ｔｐに装着され、測色対象物についての測色処理が行われる際に、測色対象物に接触させる部材である。マスク部材３は、本体部３ＢＤおよび装着部３ＡＴを有している。本体部３ＢＤは、測色対象物のうちの測色処理の対象となる領域（測色対象領域とも言う）のサイズを規定する窓部を有している。該窓部としては、例えば、ＸＹ断面が略円形のものが採用され得る。そして、該窓部は、測色計２の先端部２Ｔｐにマスク部材３が装着された状態において、測色計２の測色部２３の窓部と連通する。装着部３ＡＴは、マスク部材３が測色計２に装着される部分である。なお、マスク部材３は、例えば、ターゲットマスク等とも称される。また、マスク部材３は、測色計２の先端部２Ｔｐに対する装着および脱着が可能な構成を有している。
【００２６】
＜(１−２)情報処理システム＞
図４は、本実施形態に係る情報処理システム１００の機能的な構成を例示するブロック図である。図４で示されるように、情報処理システム１００は、測色計２と該測色計２に対してデータの通信が可能な態様で接続された外部機器４とを備えている。
【００２７】
測色計２は、出力部２１、入力部２２、測色部２３、電源部２４、制御部２５、第１〜３記憶部２６ａ〜２６ｃおよび第１通信部としての通信部２７を有している。
【００２８】
出力部２１は、各種情報をユーザーが認識可能な態様で出力する。具体的には、出力部２１には、例えば、各種文字および各種画像等を可視的に出力する表示部、および各種情報を可聴的に出力するスピーカー等が含まれ得る。表示部では、例えば、第１記憶部２６ａに記憶されているデータの存在を示す情報が可視的に出力され得る。
【００２９】
入力部２２は、ユーザーの動作に応じた信号を制御部２５に入力する。例えば、入力部２２は、電源ボタン２２ａ、測色ボタン２２ｂ、基準ボタン２２ｃおよび指定ボタン群２２ｄ等を有している。これらの各ボタンの機能は、例えば、出力部２１としての表示部と一体的に構成されたタッチパネル等によって実現されても良い。また、これらの各ボタンの機能は、例えば、ユーザーが発する音声に応答して該音声に応じた信号が入力される音声認識部等によって実現されても良い。
【００３０】
測色部２３は、測色対象物の色を測定する測色処理を行う。該測色部２３は、制御部２５の制御に応じて発光する照明部と、受光した光の強度に応じた電気信号を取得するセンサー部とを有している。例えば、照明部から発せられた光が、測色計２およびマスク部材３の窓部を介して測色対象物に照射され、その際に、測色対象物から発せられる光がセンサー部によって受光されることで、該光の強度に応じた電気信号が取得され得る。センサー部として、例えば、ＸＹＺの３刺激値が直に得られるセンサー、ならびに回折格子やＬＶＦ（Linear Variable Filter）によって分光された光から分光スペクトルが得られるセンサー等が採用され得る。なお、ここで、照明部から発せられた光が白色光であれば、測色部２３で取得された電気信号は、測色対象物の物体色に応じたものとなる。
【００３１】
電源部２４は、測色計２の全体へ電力を供給する部分である。ここで、電源部２４として、例えば、測色計２に取り付けられた電池等が採用され得る。なお、電源部２４は、電源ボタン２２ａの押下に応答して出力される信号に応じて測色計２の全体に電力を供給する。
【００３２】
制御部２５は、測色計２の各種動作および各種機能を実現するために各種制御および演算を行う。該制御部２５は、例えば、ＣＰＵ等のプロセッサー、ＲＡＭ等の揮発性のメモリーおよびＲＯＭ等の不揮発性のメモリー等を備えて構成されている。ＲＯＭは、例えば、プログラムおよび各種データ等を記憶する。ＣＰＵおよびＲＡＭは、例えば、ＲＯＭに格納されたプログラム等を読み込んで実行することで、測色計２の各種動作および各種機能を実現する。なお、制御部２５では、例えば、測色部２３で得られる電気信号から、ＸＹＺの３刺激値および分光スペクトル等と言った測色対象物の色を示す測色結果に係るデータ（測色データとも言う）が取得され得る。
【００３３】
第１記憶部２６ａは、例えば、不揮発性のメモリー等によって構成され、測色部２３による測色結果に係る測色データを記憶するメインの記憶部である。該不揮発性のメモリーとしては、例えば、読み書きの速度は速くないものの、記憶容量が大きなＮＡＮＤ型のメモリー等が採用され得る。ここで、例えば、測色計２と外部機器４との間でマスストレージ制御による通信が行われる際には、外部機器４において、第１記憶部２６ａに記憶されているデータの記憶状態が閲覧され得る。
【００３４】
第２記憶部２６ｂは、例えば、第１記憶部２６ａと同様に、不揮発性のメモリー等によって構成され、測色部２３による測色結果に係る測色データを記憶するバックアップ用の記憶部である。該不揮発性のメモリーとしては、第１記憶部２６ａと同様に、例えば、読み書きの速度は速くないものの、記憶容量が大きなＮＡＮＤ型のメモリー等が採用され得る。ここで、例えば、制御部２５の制御によって、第１記憶部２６ａに記憶されたばかりのデータの複製物が、第２記憶部２６ｂに記憶される。つまり、第１記憶部２６ａに記憶されるデータが、第２記憶部２６ｂにおいてバックアップされる処理（ミラーリング処理とも言う）が実行される。
【００３５】
つまり、ここでは、ミラーリング処理の実施により、制御部２５によって、例えば、測色部２３による測色処理の際に、測色部２３による測色処理で得られる測色対象物の色を示す同一の測色データが、第１記憶部２６ａおよび第２記憶部２６ｂにそれぞれ記憶される。また、ミラーリング処理の実施により、第１記憶部２６ａに記憶されており且つ第２記憶部２６ｂに記憶されていないデータ（第１データとも言う）の存在に応じて、該第１データが第２記憶部２６ｂに記憶される。また、ミラーリング処理によれば、第１記憶部２６ａに記憶されておらず且つ第２記憶部２６ｂに記憶されているデータ（第２データとも言う）の存在に応じて、該第２データが第１記憶部２６ｂに記憶される。なお、ミラーリング処理では、例えば、第１記憶部２６ａおよび第２記憶部２６ｂのうちの一方の記憶部に記憶されているデータが破損している場合に、破損しているデータに対応する、他方の記憶部に記憶されているデータが、一方の記憶部内にコピーされても良い。
【００３６】
第３記憶部２６ｃは、例えば、揮発性のメモリー等によって構成され、測色部２３による測色処理に応じて制御部２５で得られた最新の測色データを一時的に記憶する。なお、第３記憶部２６ｃについては、揮発性のメモリーであっても、バックアップ用の電池が採用されていれば、第３記憶部２６ｃに記憶されたデータがある程度の期間は保持され得る。また、ここで言う揮発性のメモリーとしては、例えば、読み書きの速度は速いが、記憶容量が非常に小さなＳＲＡＭメモリー等が採用され得る。
【００３７】
通信部２７は、例えば、外部機器４との間で、マスストレージ制御による第１方式のデータ通信と、シリアルコミュニケーション制御による第２方式のデータ通信とをそれぞれ行う。これらの第１方式および第２方式のデータ通信は、例えば、ＵＳＢ通信の一種である。なお、シリアルコミュニケーション制御による第２方式のデータ通信には、ＵＳＢ通信のＣＤＣ（Communication Device Class）クラスおよびＵＳＢ通信のＨＩＤ（Human Interface Device）クラスの通信等が含まれる。
【００３８】
ここで、通信部２７は、例えば、マスストレージデバイス（ＭＳＤ）制御要素２７１、ＵＳＢインターフェース（ＵＳＢＩ／Ｆ）２７２、シリアルコミュニケーションデバイス（ＳＣＤ）制御要素２７３およびシリアルインターフェース（シリアルＩ／Ｆ）２７４を有している。ＭＳＤ制御要素２７１は、ＵＳＢＩ／Ｆ２７２を介した外部機器４との間におけるマスストレージデバイスクラスの通信を制御するための要素である。また、ＳＣＤ制御要素２７３は、シリアルＩ／Ｆ２７４を介した外部機器４との間におけるシリアルコミュニケーションの通信を制御するための要素である。なお、ここでは、ＵＳＢＩ／Ｆ２７２およびシリアルＩ／Ｆ２７４は、１本の通信用のＵＳＢケーブルによって接続され得る。
【００３９】
外部機器４は、入力部４１、第２制御部としての制御部４２、出力部４３および第２通信部としての通信部４４を有している。
【００４０】
入力部４１は、ユーザーの動作に応じた信号を制御部２５に入力する。例えば、入力部４１は、キーボードやマウス等を備えている。当該入力部４１の機能は、例えば、出力部４３としての表示部と一体的に構成されたタッチパネルによって実現されても良い。また、入力部４１の機能は、例えば、ユーザーが発する音声に応答して該音声に応じた信号が入力される機能を有していても良い。
【００４１】
制御部４２は、測色計２の第１記憶部２６ａにおけるデータの記憶状態を示す情報を、通信部４４を介した第１方式あるいは第２方式のデータ通信によって測色計２から取得し、出力部４３において可視的に出力させる。
【００４２】
出力部４３は、出力部２１と同様に、各種情報をユーザーが認識可能な態様で出力する。具体的には、出力部２１には、例えば、各種文字および各種画像等を可視的に出力する表示部、および各種情報を可聴的に出力するスピーカー等が含まれ得る。
【００４３】
通信部４４は、測色計２との間において、マスストレージ制御による第１方式のデータ通信と、シリアルコミュニケーション制御による第２方式のデータ通信とをそれぞれ行う。ここで、通信部４４は、例えば、マスストレージ（ＭＳ）制御要素４４１、ＵＳＢインターフェース（Ｉ／Ｆ）４４２、シリアル制御要素４４３およびシリアルインターフェース（Ｉ／Ｆ）４４４を有している。ＭＳ制御要素４４１は、ＵＳＢＩ／Ｆ４４２を介した測色計２との間におけるマスストレージデバイスクラスの通信を制御するための要素である。また、シリアル制御要素４４３は、シリアルＩ／Ｆ４４４を介した測色計２との間におけるシリアルコミュニケーションの通信を制御するための要素である。なお、ここでは、ＵＳＢＩ／Ｆ４４２およびシリアルＩ／Ｆ４４４と、ＵＳＢＩ／Ｆ２７２およびシリアルＩ／Ｆ２７４とが、例えば、１本の通信用のＵＳＢケーブルによって外部機器４に接続され得る。
【００４４】
上記構成を有する本実施形態に係る情報処理システム１００では、測色計２において、測色処理によって得られた測色データが第１記憶部２６ａに記憶され、該測色データの複製物が第２記憶部２６ｂに記憶されるミラーリング処理が実行される。
【００４５】
ここで、仮に、マスストレージ制御による第１方式のデータ通信によって、外部機器４から測色計２の第１記憶部２６ａ内のデータの編集（データ編集とも言う）が自由に可能である場合を想定する。該データ編集には、第１記憶部２６ａに記憶されているデータに対する削除および追加等が含まれる。そして、例えば、測色処理の際に測色対象物に対する測色計２の押し当て方が不適切で測色処理が成功していないとき、測色処理の対象となる測色対象物の順番に誤りがあったとき、第１記憶部２６ａの記憶容量を確保したいとき等において、データの削除が必要である。
【００４６】
このような場合、データ編集の度に、第１記憶部２６ａと第２記憶部２６ｂとの間でデータの内容を整合させるミラーリング処理を行う必要がある。しかしながら、携帯式の測色計２では、電池の消耗を抑える観点から、プロセッサーにおける省電力を図るために、データ処理の速度が低く抑えられており、データ編集の処理には長時間を要する。このため、例えば、外部機器４のエクスプローラ等のファイルやフォルダを管理する画面（データ管理画面とも言う）上でデータ編集に係る操作が素早く行われると、測色計におけるデータ編集の状態がパソコン上で表示されるファイルの状態に追従できない。その結果、外部機器４のデータ管理画面上に表示されるデータの存在状態と、実際の測色計２の第１，２記憶部２６ａ，２６ｂにおけるデータの存在状態との間に不整合が生じる期間が生じ易い。これにより、測色計２の第１記憶部２６ａ内のデータの信頼性が損なわれ得る。
【００４７】
一方、シリアル制御による第２方式のデータ通信では、外部機器４からコマンドが送信され、そのコマンドに応じた処理が測色計２で完了すれば、その旨を示す返事が測色計２から外部機器４に送られる。このため、外部機器４と測色計２との間において、データの存在状態についての認識に不整合が生じ難いが、長時間のデータ処理の完了を待つ必要があり、操作性が良好でない。
【００４８】
そこで、本実施形態に係る情報処理システム１００では、外部機器４において、測色計２との間におけるマスストレージ制御による第１方式のデータ通信によって、測色計２の第１記憶部２６ａ内に記憶されたデータについての閲覧および取得は可能であるが、データ編集は可能でない。これにより、ある程度の操作性が維持され得る。その一方で、外部機器４では、測色計２との間におけるシリアル制御による第２方式のデータ通信によって、測色計２の第１記憶部２６ａ内に記憶されたデータについてのデータ編集が可能となっている。これにより、データの信頼性が維持され得る。
【００４９】
具体的には、ユーザーの動作に応じて入力部４１で入力される信号に応じた、通信部２７，４４による第１方式のデータ通信における第１記憶部２６ａに記憶されているデータの削除の要求に対して、該データが第１記憶部２６ａから削除されず且つ該データが第１記憶部２６ａに記憶されている状態が維持される。このような制御は、例えば、ＭＳＤ制御要素２７１が、外部機器４からのマスストレージ制御における第１方式のデータ通信におけるデータの削除の指示を無視する等と言った態様で実現され得る。
【００５０】
一方、ユーザーの動作に応じて入力部４１で入力される信号に応じた、通信部２７，４４による第２方式のデータ通信における第１記憶部２６ａに記憶されているデータの削除の要求に対して、該データが第１記憶部２６ａから削除される。このような制御は、例えば、ＳＣＤ制御要素２７３が、外部機器４からのシリアルコミュニケーション制御による第２方式のデータ通信におけるデータの削除のコマンドを受け付けて、そのコマンドに応じた信号を制御部２５に送信することで実現され得る。
【００５１】
つまり、例えば、マスストレージ制御によるデータ通信における要求があっても、第１記憶部２６ａからデータが削除されず、シリアルコミュケーション制御によるデータ通信における要求に応じて、第１記憶部２６ａからデータが削除される。
【００５２】
このような構成によれば、例えば、マスストレージ制御によって、外部機器４のエクスプローラ等のファイルやフォルダを管理するデータ管理画面上でデータ編集に係る操作が素早く行われることがなくなる。このため、測色計２におけるデータ編集の状態が、外部機器４の画面上で表示されるファイルの状態に追従しない不具合が発生し難い。これにより、例えば、外部機器４の画面上に表示される第１記憶部２６ａにおけるデータの記憶状態と、実際の測色計２の第１記憶部２６ａにおけるデータの記憶状態との間に不整合が生じる期間が生じ難い。その結果、測色計２の第１記憶部２６ａ内のデータの信頼性が損なわれ難い。
【００５３】
一方、ＵＳＢ通信のシリアル制御では、外部機器４から測色計２にコマンドが送信され、そのコマンドに応じた処理が測色計２で完了すれば、その旨を示す返事が測色計２から外部機器４に送られる。このため、外部機器４からのシリアルコミュケーション制御によるデータ通信における要求に応じて、第１記憶部２６ａからデータが削除されるのであれば、外部機器４と測色計２との間において、第１記憶部２６ａにおけるデータの記憶状態についての認識に不整合が生じ難い。
【００５４】
したがって、本実施形態に係る情報処理システム１００では、測色計２で得られるデータの信頼性と該測色計２のデータの編集に係る操作性とが両立し得る。
【００５５】
また、外部機器４から測色計２への、第１方式のデータ通信による第１記憶部２６ａへのデータの書き込み要求に対して、該データが第１記憶部２６ａに書き込まれず、外部機器４から測色計２への、第２方式のデータ通信による第１記憶部２６ａへのデータの書き込みの要求に対して、該データが第１記憶部２６ａへ書き込まれる構成が採用されても良い。なお、ここで書き込みの対象となるデータとしては、例えば、基準試料に係る測色データの代わりに予め測定または準備された測色処理の基準となる色を示すデータ（基準色データとも言う）等が挙げられる。
【００５６】
このような構成が採用されれば、マスストレージ制御によるデータ通信における要求があっても、第１記憶部２６ａにデータが書き込まれず、シリアルコミュケーション制御によるデータ通信における要求に応じて、第１記憶部２６ａにデータが書き込まれる。これにより、測色計２で得られるデータの信頼性と該測色計２のデータの編集に係る操作性とが両立し得る。
【００５７】
ここでは、例えば、ＭＳＤ制御要素２７１が、外部機器４からのマスストレージ制御の第１方式のデータ通信によるデータの書き込みの指示を無視する。一方、例えば、ＳＣＤ制御要素２７３が、外部機器４からのシリアルコミュニケーション制御の第２方式のデータ通信によるデータの書き込みのコマンドを受け付けて、そのコマンドに応じた信号を制御部２５に送信する。
【００５８】
ところで、測色計２が、例えば、入力部２２で入力される信号に応じた、第１記憶部２６ａに記憶されているデータの削除の要求に対して、該データが第１記憶部２６ａから削除されず且つ該データが第１記憶部２６ａに記憶されている状態が維持される構成を有していても良い。つまり、測色計２自体においては、ユーザーの動作に応じた信号の入力があっても、第１記憶部２６ａからデータが削除されない。このため、外部機器４から測色計２におけるデータの削除を要求することになる。その結果、上記構成によって、測色計２で得られるデータの信頼性と該測色計のデータの編集に係る操作性とが両立し得ることになる。
【００５９】
＜(１−２−１)データの閲覧および取得ならびに編集の具体例＞
図５から図１０は、外部機器４としてのパソコンの出力部４３に可視的に出力された画面上における測色計２内のデータの閲覧および取得に係る操作手順の具体例を示す図である。
【００６０】
ここでは、外部機器４と測色計２とがＵＳＢケーブルで接続されていれば、測色計２は、通信部２７によってＵＳＢ通信のマスストレージ制御の通信を行うことができ、例えば、外部機器４では、測色計２はリムーバルディスクとして認識される。
【００６１】
例えば、外部機器４において、ユーザーの動作に応じて入力部４１から信号が入力されることで、出力部４３に、エクスプローラ等のファイルやフォルダを管理するツールのデータ管理画面Ｇ１（図５）が表示される。
【００６２】
データ管理画面Ｇ１において、例えば、ユーザーによるマウスの操作に応じて、測色計２に対応するリムーバルディスク（ここでは、ＤドライブのＣＲ１０Ｐ）がマウスポインターＭｐ１で指定されると、データ管理画面Ｇ１が、測色計２の第１記憶部２６ａに格納されたフォルダの一覧を示すデータ管理画面Ｇ２（図６）に遷移する。
【００６３】
次に、データ管理画面Ｇ２において、例えば、ユーザーによるマウスの操作に応じて、測色データが格納されたフォルダ（ここでは、ＤＡＴＡ）がマウスポインターＭｐ１で指定されると、データ管理画面Ｇ２が、日付毎に測色データが格納されたフォルダの一覧を示すデータ管理画面Ｇ３（図７）に遷移する。
【００６４】
その次に、データ管理画面Ｇ３において、例えば、ユーザーによるマウスの操作に応じて、日付毎のフォルダの一覧からデータの内容を確認したいフォルダ（図７では、１５０８０３）がマウスポインターＭｐ１で指定されると、データ管理画面Ｇ３が、一連の測色データが格納されたフォルダの一覧を示すデータ管理画面Ｇ４（図８）に遷移する。図８では、２つのフォルダ（０００１、０００２）を示すフォルダの一覧が表示されている様子が示されている。一連の測色データは、測色処理の基準となる基準試料についての測色データ（基準測色データとも言う）と、基準試料を基準とした評価の対象となる評価対象試料についての測色データ（評価測色データとも言う）とを含む。なお、評価対象試料についての評価測色データは、例えば、基準試料に係る基準測色データの値を基準とした色差を示すデータ（色差データとも言う）であれば良い。
【００６５】
その次に、データ管理画面Ｇ４において、例えば、ユーザーによるマウスの操作に応じて、１つのフォルダ（０００１）が指定されると、データ管理画面Ｇ４が、基準測色データおよび複数の評価測色データの一覧を示すデータ管理画面Ｇ５（図９）に遷移する。図９では、１つの基準測色データ（１１０３２５＿Ｔ．ＣＳＶ）および３つの評価測色データ（１１０３２７＿Ｓ．ＣＳＶ、１１０３２９＿Ｓ．ＣＳＶ、１１０３３２＿Ｓ．ＣＳＶ）に係る４つのファイルが列挙されている様子が示されている。図９に列挙された複数のファイルのうち、所望のファイルがマウスポインターＭｐ１で指定されることで、指定されたファイルのデータの内容が出力部４３に表示され得る。また、図１０で示されるように、列挙された複数のファイルのうちの所望のファイルにマウスポインターＭｐ１が合わされた状態で、マウスの右ボタンが押下されると、実行可能な複数の処理のリストが表示され、該リストから所望の処理が指定される。このとき、例えば、１つの処理としてのコピーが指定されれば、指定されていた所望のファイルを、外部機器４の記憶部にコピーすることが可能となる。
【００６６】
このように、外部機器４では、測色計２との間におけるマスストレージ制御による第１方式のデータ通信によって、測色計２の第１記憶部２６ａ内に記憶されたデータについての閲覧および取得は可能であるが、データ編集は可能でない。
【００６７】
これに対して、外部機器４では、測色計２との間におけるシリアルコミュニケーション制御による第２方式のデータ通信によれば、測色計２の第１記憶部２６ａ内に記憶されたデータについてのデータ編集が可能となっている。ここでは、外部機器４と測色計２とがＵＳＢケーブルで接続されている状態で、外部機器４において、予め準備されたアプリケーションが利用されることで、シリアルコミュニケーション制御による第２方式のデータ通信が可能となっている。
【００６８】
図１１は、外部機器４としてのパソコンの出力部４３に可視的に出力された画面上における測色計２内のデータの編集に係るアプリケーションの画面（データ編集画面とも言う）Ｇ６である。
【００６９】
図１１で示されるように、データ編集画面Ｇ６には、例えば、リストＬｓ１、テーブルＴｂ１、テーブルＴｂ２および第１〜３削除ボタンＤｅ１〜Ｄｅ３が設けられている。リストＬｓ１は、一連の測色データを指定するためのリストである。テーブルＴｂ１は、基準測色データを可視的に示す。テーブルＴｂ２は、複数の評価対象試料についての複数の評価測色データを可視的に示す。複数の評価測色データは、例えば、基準試料に係る基準測色データの値を基準とした色差を示すデータ（色差データとも言う）であれば良い。
【００７０】
第１削除ボタンＤｅ１は、測色計２の本体の第１〜３記憶部２６ａ〜２６ｃに記憶されている全てのデータを削除するためのボタンである。第２削除ボタンＤｅ２は、リストＬｓ１で指定されている一連の測色データを削除するためのボタンである。第３削除ボタンＤｅ３は、テーブルＴｂ２で指定されている所望の評価測色データを削除するためのボタンである。これらの第１〜３削除ボタンＤｅ１〜Ｄｅ３の押下に応じて、シリアルコミュニケーション制御による第２方式のデータ通信によって、削除に係るコマンドが測色計２に送信される。このとき、測色計２では、送信されてきた削除に係るコマンドに応じて、第１記憶部２６ａからのデータの削除が行われる。そして、ミラーリング処理によって、第２記憶部２６ｂからも第１記憶部２６ａと同様にデータの削除が行われる。
【００７１】
＜(１−２−２)瞬電対策＞
ところで、測色計２において測色データが保存される際に、測色計２における電力の供給が停止されると、例えば、測色データが、第１記憶部２６ａに記憶されているが、第２記憶部２６ｂに記憶されていないと言った不具合等が生じ得る。測色計２における電力の供給の停止は、例えば、電源部２４に含まれる電池の出力の低下等によって生じ得る。
【００７２】
そこで、このような不具合が生じないような対策（瞬電対策とも言う）として、本実施形態に係る測色計２では、測色処理によって測色データが得られた際に、まず該測色データの読み書きが速い第３記憶部２６ｃに測色データが記憶される。そして、その後に、第３記憶部２６ｃに記憶された測色データが、第１および第２記憶部２６ａ，２６ｂに記憶される。
【００７３】
このような構成が採用されれば、まず、第３記憶部２６ｃに測色データが記憶される前に電源部２４からの電力の供給が停止すれば、第１〜３記憶部２６ａ〜２６ｃの何れにも測色データが記憶されず、測色処理は失敗とされる。
【００７４】
次に、第３記憶部２６ｃに測色データが記憶された後であって、第１記憶部２６ａに測色データが記憶される前に、電源部２４からの電力の供給が停止すれば、メインの記憶部である第１記憶部２６ａへの測色データの保存が一旦は失敗となる。但し、この場合には、電源部２４からの電力の供給の回復後に、第３記憶部２６ｃに記憶されている測色データが、第１記憶部２６ａおよび第２記憶部２６ｂに保存されることで、ミラーリング処理も含めた測色データの保存が実現される。なお、このような測色データの保存は、第１および第２記憶部２６ａ，２６ｂのそれぞれに測色データが保存されたか否かを示す情報が第３記憶部２６ｃに記憶されることで、実現され得る。
【００７５】
さらに、第１および第３記憶部２６ａ，２６ｃに測色データが記憶された後であって、第２記憶部２６ｂに測色データが記憶される前に、電源部２４からの電力の供給が停止すれば、バックアップ用の記憶部である第２記憶部２６ｂへの測色データの保存は失敗となる。すなわち、ミラーリング処理が不十分となる。但し、この場合には、電源部２４からの電力の供給の回復後に、第１記憶部２６ａまたは第３記憶部２６ｃに記憶されている測色データが、第２記憶部２６ｂに保存されることで、ミラーリング処理も含めた測色データの保存が実現される。なお、このような測色データの保存は、第１および第２記憶部２６ａ，２６ｂのそれぞれに測色データが保存されたか否かを示す情報が第３記憶部２６ｃに記憶されることで、実現され得る。
【００７６】
＜(１−３)動作フロー＞
図１２および図１３は、情報処理システム１００におけるデータの制御に係る動作フローを例示するフローチャートである。図１２には、測色処理の際に取得された測色データの保存に係る動作フローが例示されており、図１３には、第１記憶部２６ａに格納されているデータのミラーリング処理および編集に係る動作フローが例示されている。
【００７７】
図１２および図１３の動作フローは、例えば、ユーザーによって電源ボタン２２ａが押下され、電源部２４によって測色計２の全体に電力が供給されることで、開始される。なお、この動作フローの開始時点または途中の時点において、例えば、ＵＳＢケーブルによって適宜データ通信が可能な態様で測色計２と外部機器４とが接続される。
【００７８】
図１２のステップＳ１では、制御部２５によって、ユーザーの動作による入力部２２からの信号によって測色処理の開始が指定されたか否か判定される。ここで、測色処理の開始が指定されていれば、ステップＳ２に進み、測色処理の開始が指定されていなければ、図１３のステップＳ１１に進む。
【００７９】
ステップＳ２では、測色計２に含まれている測色部２３によって、測色対象物についての測色処理が行われる。このとき、測色結果としての測色データが得られる。ステップＳ２の処理が終了すると、ステップＳ３に進む。
【００８０】
ステップＳ３では、ステップＳ２で得られた測色データが、第３記憶部２６ｃに保存され、ステップＳ４に進む。
【００８１】
ステップＳ４では、ステップＳ３で第３記憶部２６ｃに保存された測色データが、第１記憶部２６ａに保存され、ステップＳ５に進む。
【００８２】
ステップＳ５では、ステップＳ４で第１記憶部２６ａに保存された測色データが、第２記憶部２６ｂに保存され、図１３のステップＳ１１に進む。これにより、測色計２に含まれている制御部２５によって、ステップＳ２における測色部２３による測色処理の際に、測色部２３による測色処理で得られる測色対象物の色を示す同一の測色データが、測色計２に含まれている第１記憶部２６ａおよび第２記憶部２６ｂにそれぞれ記憶される。
【００８３】
図１３のステップＳ１１では、制御部２５によって、第１記憶部２６ａと第２記憶部２６ｂとの間で異なるデータが存在しているか否かが判定される。ここで、異なるデータが存在していれば、ステップＳ１２に進み、異なるデータが存在していなければ、ステップＳ１３に進む。
【００８４】
ステップＳ１２では、制御部２５の制御によって、ミラーリング処理が行われて、ステップＳ１３に進む。つまり、ステップＳ１１，Ｓ１２では、制御部２５によって、第１記憶部２６ａに記憶されており且つ第２記憶部２６ｂに記憶されていないデータ（第１データとも言う）の存在に応じて、該第１データを第２記憶部２６ｂに記憶させる。また、ステップＳ１１，Ｓ１２では、制御部２５によって、第２記憶部２６ｂに記憶されており且つ第１記憶部２６ａに記憶されていないデータ（第２データとも言う）の存在に応じて、該第２データを第１記憶部２６ａに記憶させる。
【００８５】
ステップＳ１３では、通信部２７のＭＳＤ制御要素２７１によって、マスストレージ制御による第１方式の通信で、第１記憶部２６ａのデータを削除する要求（データ削除要求とも言う）があるか否か判定される。ここで、該データ削除要求があれば、ステップＳ１４に進み、該データ削除要求がなければ、ステップＳ１５に進む。
【００８６】
ステップＳ１４では、通信部２７および制御部２５によって、第１記憶部２６ａのデータが削除されずに維持されて、ステップＳ１５に進む。つまり、測色計２において、該測色計２がデータ通信可能な態様で接続された外部機器４からの、マスストレージ制御による第１方式のデータ通信を用いた第１記憶部２６ａに記憶されているデータの削除の要求に対して、該データを第１記憶部２６ａから削除することなく且つ該データが第１記憶部２６ａに記憶されている状態が維持される。
【００８７】
ステップＳ１５では、通信部２７のＳＣＤ制御要素２７３によって、シリアルコミュニケーション制御による第２方式のデータ通信で、第１記憶部２６ａのデータを削除する要求（データ削除要求とも言う）があるか否か判定される。ここで、該データ削除要求があれば、ステップＳ１６に進み、データ削除要求がなければ、ステップＳ１５に進む。
【００８８】
ステップＳ１６では、制御部２５によって、データ削除要求に応じた第１記憶部２６ａのデータが削除されて、ステップＳ１７に進む。つまり、測色計２によって、外部機器４からの、シリアルコミュニケーション制御による第２方式のデータ通信を用いた第１記憶部２６ａに記憶されているデータの削除の要求に対して、該データが第１記憶部２６ａから削除される。
【００８９】
ステップＳ１７では、入力部２２に含まれる電源ボタン２２ａが押下されたか否か判定される。ここで、電源ボタン２２ａが押下されていなければ、図１２のステップＳ１に戻り、電源ボタン２２ａが押下されていれば、本動作フローが終了する。
【００９０】
＜(１−４)一実施形態のまとめ＞
以上のように、本実施形態に係る情報処理システム１００によれば、測色計２において、マスストレージ制御による第１方式のデータ通信における要求があっても、第１記憶部２６ａからデータが削除されず、シリアルコミュケーション制御によるデータ通信における要求に応じて、第１記憶部２６ａからデータが削除される。これにより、測色計で得られるデータの信頼性と該測色計のデータの編集に係る操作性とが両立し得る。
【００９１】
＜(２)変形例＞
なお、本発明は上述の一実施形態に限定されるものではなく、本発明の要旨を逸脱しない範囲において種々の変更、改良等が可能である。
【００９２】
例えば、上記一実施形態では、測色計２が、基準試料に係る基準測色データと評価対象試料に係る評価測色データとしての色差データとを取得して、第１〜３記憶部２６ａ〜２６ｃに記憶したが、これに限られない。例えば、測色計２が、基準試料および評価対象試料のそれぞれの物体色に係る測色データを取得して、第１〜３記憶部２６ａ〜２６ｃに記憶しても良い。また、測色計２には、例えば、物体の光沢を測定する光沢計、および物体の照度を測定する照度計等が含まれ得る。
【００９３】
なお、上記一実施形態および各種変形例をそれぞれ構成する全部または一部を、適宜、矛盾しない範囲で組み合わせ可能であることは、言うまでもない。
【符号の説明】
【００９４】
１  測色システム
２  測色計
４  外部機器
２１  出力部
２２  入力部
２２ａ  電源ボタン
２２ｂ  測色ボタン
２２ｃ  基準ボタン
２２ｄ  指定ボタン
２３  測色部
２４  電源部
２５  制御部
２６ａ〜２６ｃ  第１〜３記憶部
２７，４４  通信部
４１  入力部
４２  制御部
４３  出力部
１００  情報処理システム
２７１  マスストレージデバイス（ＭＳＤ）制御要素
２７３  シリアルコミュニケーションデバイス（ＳＣＤ）制御要素
Ｄｅ１〜Ｄｅ３  第１〜３削除ボタン
【図１】
2017038839.tif 000003
【図２】
2017038839.tif 000004
【図３】
2017038839.tif 000005
【図４】
2017038839.tif 000006
【図５】
2017038839.tif 000007
【図６】
2017038839.tif 000008
【図７】
2017038839.tif 000009
【図８】
2017038839.tif 000010
【図９】
2017038839.tif 000011
【図１０】
2017038839.tif 000012
【図１１】
2017038839.tif 000013
【図１２】
2017038839.tif 000014
【図１３】
2017038839.tif 000015
【国際調査報告】
2017038839.tif 000016
2017038839.tif 000017
2017038839.tif 000018
2017038839.tif 000019